(57)【要約】【課題】発車時における記録トリガ発生の判定の精度を向上させることができるドライブレコーダを提供する。【解決手段】発車時、ドライブレコーダ１は、速度センサ１５から出力されるパルス数を任意の時間計測し、この計測により得られた速度があらかじめ設定された設定値未満である場合、ドライブレコーダ１は、Ｇセンサ１３によって検出される加速度が第１閾値未満であるか否かを判別する（Ｓ３）。加速度が第１閾値以上である場合、ドライブレコーダ１は、記録トリガを発生させ、メモリカード１７に「急発進注意アナウンス」のデータを記録する（Ｓ５）。また、速度が設定値以上である場合、ドライブレコーダ１は、今回の速度と所定秒前に計測された速度との速度差が第２閾値未満であるか否かを判別し（Ｓ４）、速度差が第２閾値以上である場合、ドライブレコーダ１は、同様のデータを記録する。【選択図】図３
2014067156.tif 000002
【特許請求の範囲】
【請求項１】
車両のタイヤの回転周期に応じた間隔でパルス信号を出力する速度センサから、前記パルス信号を受け付ける速度信号受信部と、
加速度センサから出力された加速度情報を含む信号を受け付ける加速度信号受信部と、
を備え、
記録トリガが発生した場合、画像データを記録するドライブレコーダであって、
前記車両が発進した後、前記速度信号受信部が前記速度センサから所定数のパルス信号を受け付けるまでは、前記加速度信号受信部が前記加速度センサから受け付けた信号に基づいて、前記記録トリガが発生したか否かを判定し、
前記速度信号受信部が前記速度センサから前記所定数のパルス信号を受け付けた後は、前記速度センサから受け付けたパルス信号に基づいて、前記記録トリガが発生したか否かを判定する、
ことを特徴とするドライブレコーダ。
【請求項２】
前記所定数は、発車時、前記速度センサによって検出されるパルス信号の数から得られる速度が正確なものになると判断される値である、
ことを特徴とする請求項１記載のドライブレコーダ。
【発明の詳細な説明】
【技術分野】
【０００１】
本発明は、記録トリガが発生した場合、画像データを記録するドライブレコーダに関する。
【背景技術】
【０００２】
従来、ドライブレコーダの中には、記録トリガ発生の有無を判定する基準として、速度センサからのパルス信号に基づいて算出した速度情報を用いるものがある。速度センサは、タイヤに動力を伝達する車軸等に取り付けられ、タイヤの回転周期に対応する周期のパルス信号を出力する。
【０００３】
この速度センサを用いて速度情報を算出する際、ドライブレコーダは、所定数のパルスが入力された後、このパルスに基づいて速度を算出する。
【０００４】
この種の先行技術文献として、特許文献１には、ドライブレコーダにおける記録トリガ発生の有無を判定する際、加速度センサによって検出された加速度情報を用いてもよいし、速度センサから取得した速度情報を用いてもよいことが示されている。
【先行技術文献】
【特許文献】
【０００５】
【特許文献１】特開２０１２−１２８６９４号公報
【発明の概要】
【発明が解決しようとする課題】
【０００６】
しかしながら、従来のドライブレコーダでは、車両が停止状態から急発進した際には、所定数のパルスが入力されない状態で速度が算出されるので、この算出された速度が適正な値でないおそれがある。
【０００７】
即ち、速度センサを用いて、急発進等の発車時に加速度を算出する場合、短時間のうちに検出されるパルス数は少なく、また、停止していたタイヤを駆動する車軸の位置によっては計測されるパルス数の値が変わってくる。従って、発車直後の所定時間内のパルス数から得られる速度の値は正確なものとは言い難かった。
【０００８】
このように、発車時における記録トリガ発生の判定に、速度センサからのパルス信号を用いることは、記録トリガ発生の判定の精度を低下させていた。
【０００９】
本発明は、上述した事情に鑑みてなされたものであり、その目的は、発車時における記録トリガ発生の判定の精度を向上させることができるドライブレコーダを提供することにある。
【課題を解決するための手段】
【００１０】
前述した目的を達成するために、本発明に係るドライブレコーダは、下記（１）、（２）を特徴としている。
（１）  車両のタイヤの回転周期に応じた間隔でパルス信号を出力する速度センサから、前記パルス信号を受け付ける速度信号受信部と、
加速度センサから出力された加速度情報を含む信号を受け付ける加速度信号受信部と、
を備え、
記録トリガが発生した場合、画像データを記録するドライブレコーダであって、
前記車両が発進した後、前記速度信号受信部が前記速度センサから所定数のパルス信号を受け付けるまでは、前記加速度信号受信部が前記加速度センサから受け付けた信号に基づいて、前記記録トリガが発生したか否かを判定し、
前記速度信号受信部が前記速度センサから前記所定数のパルス信号を受け付けた後は、前記速度センサから受け付けたパルス信号に基づいて、前記記録トリガが発生したか否かを判定する、
こと。
（２）  上記（１）の構成のドライブレコーダであって、
前記所定数は、発車時、前記速度センサによって検出されるパルス信号の数から得られる速度が正確なものになると判断される値である、
こと。
【００１１】
上記（１）または（２）の構成のドライブレコーダによれば、車両が発進した後、ドライブレコーダは、速度センサから所定数のパルス信号を受け付けるまでは、加速度センサから受け付けた信号に基づいて、記録トリガが発生したか否かを判定する。一方、速度センサから所定数のパルス信号を受け付けた後は、ドライブレコーダは、速度センサから受け付けたパルス信号に基づいて、記録トリガが発生したか否かを判定する。
【発明の効果】
【００１２】
本発明によれば、車両が発進した後、ドライブレコーダは、速度センサから所定数のパルス信号を受け付けるまでは、加速度センサから受け付けた信号に基づいて、記録トリガが発生したか否かを判定する。一方、速度センサから所定数のパルス信号を受け付けた後は、ドライブレコーダは、速度センサから受け付けたパルス信号に基づいて、記録トリガが発生したか否かを判定する。これにより、発車時における記録トリガ発生の判定の精度を向上させることができる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、実施の形態におけるドライブレコーダ１の構成を示すブロック図である。
【図２】図２（Ａ）〜図２（Ｃ）は、速度センサ１５による車速の検出動作を説明する図である。
【図３】図３は、ドライブレコーダ１の動作手順を示すフローチャートである。
【発明を実施するための形態】
【００１５】
本発明の実施の形態におけるドライブレコーダについて図面を用いて説明する。図１は実施の形態におけるドライブレコーダ１の構成を示すブロック図である。ドライブレコーダ１は、周知のＣＰＵ、ＲＯＭ、ＲＡＭ、入出力インターフェース（Ｉ／Ｆ）等を筐体に内蔵するドライブレコーダ本体１０を有する。
【００１６】
また、ドライブレコーダ本体１０には、ドアの開閉を検知するドアセンサ１１、警報等の音声を発するスピーカ１２、及び車両（図示せず）のフロントガラス上部に設置され、車両の前方の画像を撮影するカメラ１４が接続される。
【００１７】
また、ドライブレコーダ本体１０には、車両の加速度を検出し、車両に加わる衝撃を感知するＧセンサ（加速度センサ）１３、及び車軸等に設置され、タイヤの回転周期に応じた間隔でパルス信号を出力し、車両の速度を検出する速度センサ１５が接続される。なお、ここでは、Ｇセンサ１３は、ドライブレコーダ本体１０の筐体に内蔵されている。
【００１８】
また、ドライブレコーダ本体１０には、ＧＰＳ衛星からのＧＰＳ信号を受信し、車両の現在位置（緯度、経度）や時刻を検出するＧＰＳ受信器１６、及び記録トリガ発生時にカメラ１４で撮影された画像等のデータを記録するメモリカード１７が接続される。メモリカード１７は、ドライブレコーダ本体１０に挿抜自在に装着される。
【００１９】
また、ドライブレコーダ本体１０に内蔵された入出力Ｉ／Ｆには、速度センサ１５からパルス信号を受け付ける速度信号受信部、及び加速度センサ１３から出力された加速度情報を含む信号を受け付ける加速度信号受信部が含まれる。
【００２０】
図２（Ａ）から図２（Ｃ）は速度センサ１５による車速の検出動作を説明する図である。図２（Ａ）に示すように、車両のタイヤ３０に動力を伝達する車軸２５の外周には、磁石２８が取り付けられている。速度センサ（車速センサ）１５は、車軸２５と対向する位置に取り付けられており、磁気の強弱に応じて抵抗値が変化する磁気抵抗素子を有する。
【００２１】
タイヤ３０が回転し、車軸２５に取り付けられた磁石２８が速度センサ１５の前を１回通過する度に、速度センサ１５は磁石の数（例えば１個または数個）に相当する数のパルス信号を出力する。
【００２２】
なお、速度センサ１５が設けられる箇所は、車軸２５に限られない。タイヤ３０にトルクを伝達する軸に磁石が取り付けられ、この軸と対向するように速度センサが設けられるようにしてもよい。また、速度センサとしては、磁気抵抗素子を用いたものに限らず、透過型あるいは反射型の光学センサ等、回転を検出可能なものである限り、特に限定されない。
【００２３】
また、本実施形態では、図２（Ｂ）に示すように、速度センサ１５から出力されるパルス信号の数が所定数（例えば、値２０）に達した後、所定時間（０．１秒、１秒など）当たりに速度センサ１５から出力されるパルス信号の数から、速度信号を得るようにしている。この所定数は、発車時、速度センサによって検出されるパルス信号の数から得られる速度が正確なものになると判断される値に設定される。
【００２４】
そして、現在時刻に得られた速度と所定時間前に得られた速度との速度差、つまり加速度から、記録トリガ発生の判定を行うようにしている。
【００２５】
ここで、所定数のパルス信号が出力されてから速度を計測するのは、つぎのような理由による。すなわち、タイヤの停止状態から発進する場合、特に急発進の場合、図２（Ｃ）に示すように、パルス数は、始め少なく、途中から急に増加することになる。従って、所定時間に亘って平均化されたパルス数を計測しても、正確な速度は得られない。また、タイヤの停車状態における速度センサと磁石の位置関係から、最初のパルス信号を出力するタイミングも違ってくる。さらに、記録トリガ発生の判定は、現在時刻の速度と所定秒前の速度との速度差、つまり加速度から行われるので、発進時に速度センサを用いて判定を行うことは時間的にも難しい。
【００２６】
そこで、本実施形態では、速度センサが所定数（例えば、値２０）のパルスを出力した後でなければ、つまり、少し発進させた後でなければ、速度センサを用いた記録トリガ発生の判定を行わないようにした。
【００２７】
上記構成を有するドライブレコーダ１の動作を示す。図３はドライブレコーダ１の動作手順を示すフローチャートである。この動作プログラムは、ドライブレコーダ本体１０内のＲＯＭに格納されており、ドライブレコーダ本体１０内のＣＰＵによって実行される。
【００２８】
まず、ドライブレコーダ１は、速度センサ１５からパルス信号が出力されておらず、車両が停止しているか否かを判別する（ステップＳ１）。車両が停止している場合、ドライブレコーダ１は、ステップＳ１の処理を繰り返す。
【００２９】
一方、発車し、車両が停止していない場合、ドライブレコーダ１は、速度センサ１５から出力されるパルス数を任意の時間計測し、この計測により得られた速度があらかじめ設定された設定値未満であるか否かを判別する（ステップＳ２）。設定値未満である場合、発進後のパルス数が所定数に達していないとして、記録トリガ発生の判定に際し、速度センサ１５によって計測される速度を用いず、Ｇセンサ１３によって検出される加速度を用いるようにする。
【００３０】
即ち、ステップＳ２で計測により得られた速度が設定値未満である場合、ドライブレコーダ１は、Ｇセンサ１３によって検出される加速度（Ｇ値）が第１閾値未満であるか否かを判別する（ステップＳ３）。この第１閾値は、記録トリガを発生させるか否かを判定するための値である。第１閾値未満である場合、ドライブレコーダ１は、ステップＳ１の処理に戻る。
【００３１】
一方、ステップＳ３で加速度が第１閾値以上である場合、ドライブレコーダ１は、記録トリガを発生させ、メモリカード１７に「急発進注意アナウンス」のデータを記録する（ステップＳ５）。この「急発進注意アナウンス」のデータは、急発進による記録トリガが発生したことを表している。
【００３２】
また、ステップＳ５の処理では、急発進注意アナウンスデータの記録とともに、記録トリガ発生により、カメラ１４で撮影された画像データもメモリカード１７に記録される。なお、この時、スピーカ１２で急発進であることを発音してもよい。この後、ドライブレコーダ１は、ステップＳ１の処理に戻る。
【００３３】
また一方、ステップＳ２で計測により得られた速度が設定値以上である場合、ドライブレコーダ１は、今回の速度と所定秒前に計測された前回の速度との速度差が第２閾値未満であるか否かを判別する（ステップＳ４）。この所定秒は、１秒、５秒等、任意に設定可能である。この第２閾値は、記録トリガを発生させるか否かを判定するための値である。
【００３４】
速度差が第２閾値未満である場合、ドライブレコーダ１は、ステップＳ１の処理に戻る。一方、ステップＳ４で速度差が第２閾値以上である場合、ドライブレコーダ１は、ステップＳ５の処理に進む。即ち、ドライブレコーダ１は、前述したように、メモリカード１７に「急発進注意アナウンス」のデータを記録する。
【００３５】
このように、ドライブレコーダは、発車時、速度センサによって検出されるパルス信号の数が所定数未満、つまり任意の時間内に計測されるパルス数を表す速度が設定値未満の場合、Ｇセンサによって検出される加速度を用いて記録トリガの発生の有無を判定する。この任意の時間は、発車時に所定数以上のパルス信号が得られるような、比較的長い時間に設定される。速度センサによって検出されるパルス信号の数が所定数以上になると、ドライブレコーダは、速度センサによって検出される速度で、記録トリガの発生の有無を判定する。
【００３６】
従って、急発進時、速度センサでは、所定数（例えば、値２０）のパルス信号が検出されるまでは、速度差が得られず、記録トリガ発生が判定が難しいような場合であっても、加速度センサで加速度を計測することで記録トリガ発生の判定を正確に行える。これにより、発進時における記録トリガ発生の判定の精度を向上させることができる。また、利用者への注意喚起がより正確に行える。さらに、この注意喚起により、利用者が運転に際して注意するようになり、事故防止に役立てることができる。
【００３７】
なお、本発明は、上記実施形態の構成に限られるものではなく、本実施形態の構成が持つ機能を達成できる構成であればどのようなものであっても適用可能である。
【００３８】
例えば、上記実施形態では、ステップＳ２において、任意の時間内に計測されるパルス数から得られる速度が設定値未満である場合、発進後のパルス数が所定数に達していないとしたが、つぎのようにしてもよい。つまり、ステップＳ２の処理を、時間を考慮することなく、単に「計測されたパルス数が所定数に達したか否か」を判別する処理としてもよく、所定数未満の場合、ステップＳ３の処理に進み、所定数以上の場合、ステップＳ４の処理に進むようにしてもよい。
【００３９】
また、加速度センサとしては、ピエゾ抵抗素子型、静電容量型等の半導体式のもの他、光学式、機械式のものでもよく、特に限定されない。
【００４０】
本発明は、記録トリガが発生した場合、画像データを記録する際、発車時における記録トリガ発生の判定の精度を向上させることができ、有用である。
【符号の説明】
【００４１】
１  ドライブレコーダ
１０  ドライブレコーダ本体
１１  ドアセンサ
１２  スピーカ
１３  Ｇセンサ（加速度センサ）
１４  カメラ
１５  速度センサ（車速センサ）
１６  ＧＰＳ受信器
１７  メモリカード
【図１】
2014067156.tif 000003
【図２】
2014067156.tif 000004
【図３】
2014067156.tif 000005